(57)【要約】      （修正有）【課題】泥鰌等の小魚の背骨を簡単に除去できる小魚解体処理装置を提供する。【解決手段】小魚解体処理装置Ａは、ガイド柱１１、１１を立設した基盤１と、ガイド柱１１に取り付けられるボールベアリング２と、ボールベアリング２に軸支される回動軸３と、摺動溝１２を摺動可能な可動板体４と、バネ５１を遊嵌した丸棒５と、ガイド柱１１の内側面に取り付けられる板バネ６とを具備してなり、挟持板間ｋに小魚を落とし込んで、可動板体４を盤中央のガイド柱１１方向へ動かし、底板を基盤１の向こう端まで移動させると、二枚の円形刃３２が回動して小魚の背骨を両側から鋏み込んで引き裂くので背骨が除去できる。【選択図】図１
0003199391.tif 000002
【実用新案登録請求の範囲】
【請求項１】
ガイドを左右に設け、上面に摺動溝を長手方向に有する基盤と、
各ガイドの対向する位置に取り付けた一組の軸受と、
軸両端が前記一組の軸受に回動可能に軸支されるともに、スペーサーを挟んで二枚の円形刃を軸中央に取り付けた回動軸と、
前記摺動溝の溝幅に板縦幅が略等しい長方形の底板、
三箇所以上に連通穴が開けられ底板上の所定位置に軸に沿って固着される一対の支持板、前記連通穴と対応する位置に円形凹部を板外側に形成し弾性体を板内側に固着し前記支持板より内方側に位置する一対の挟持板、および前記連通穴と対応する位置に円形凹部を板内側に形成し前記支持板より外方側に位置する一対の押圧板を備えた可動板体と、
後端を前記挟持板の円形凹部に嵌合し、前端を前記押圧板の円形凹部に嵌合し、押圧板−支持板間にバネを遊嵌した丸棒と、
前記ガイドの内側面に後端を固定して複数取り付けられ、前記可動板体の押圧板を押圧する半円状の板バネとを具備してなる小魚解体処理装置。
【請求項２】
断面半円状の円筒部の両端にフランジ部を設けた略透明のカバーの前記フランジ部を前記ガイドの上面に固定したことを特徴とする請求項１に記載の小魚解体処理装置。
【請求項３】
バネ先端と前記押圧板との間の前記丸棒の前部、およびバネ後端と前記支持板との間の前記丸棒の後部に座金を嵌め込んだことを特徴とする請求項１または請求項２に記載の小魚解体処理装置。
【考案の詳細な説明】
【技術分野】
【０００１】
本考案は、泥鰌等の小魚の背骨を簡単に除去できる小魚解体処理装置に関する。
【背景技術】
【０００２】
泥鰌等の小魚は、魚体が小さいので、骨を包丁を使って分離する方法では、骨を簡単に除去し難い。
【先行技術文献】
【特許文献】
【０００３】
【特許文献１】特開平６−３１９４３８号公報
【特許文献２】特開２００５−１０２５２２号公報
【０００４】
特許文献１には、側面に魚をクランプし、傾斜外観感知装置で感知した魚の傾斜及び外観の状態に基づいて皮剥作業を行う技術が記載されている。
特許文献２には、上半体と下半体とに分離可能な形箱内に魚を入れ、差し入れた包丁により魚の骨と身とを分離する分離器が記載されている。
【考案の概要】
【考案が解決しようとする課題】
【０００５】
上記特許文献１に記載の技術は、構造が複雑である。
上記特許文献２に記載の技術は、小さな魚には適さない。
【０００６】
本考案の目的は、泥鰌等の小魚の背骨を簡単に除去できる小魚解体処理装置の提供にある。
【課題を解決するための手段】
【０００７】
（請求項１について）
小魚解体処理装置は、ガイドを左右に設けた基盤と、ガイドに取り付けた軸受と、円形刃が取り付けられ軸受に軸支される回動軸と、底板、支持板、挟持板、および押圧板を備えた可動板体と、バネを遊嵌した丸棒と、可動板体の押圧板を押圧する板バネとを具備してなる。
【０００８】
基盤は、上面に摺動溝を長手方向に有し、ガイドを左右に設けている。
ボールベアリングは、各ガイドの対向する位置に取り付けている。
回動軸は、軸の各端が各軸受に回動可能に軸支されるともに、スペーサーを挟んで二枚の円形刃が軸中央に取り付けられている。
【０００９】
長方形を呈する底板は、板縦幅が摺動溝の溝幅に略等しい。
底板上の所定位置に一対、軸に沿って固着される支持板は、連通穴が三箇所以上開けられている。
【００１０】
支持板より内方側に位置する一対の挟持板は、連通穴と対応する位置に円形凹部を板外側に形成し、弾性体を板内側に固着している。
支持板より外方側に位置する一対の押圧板は、連通穴と対応する位置に円形凹部を板内側に形成している。
【００１１】
丸棒は、後端を挟持板の円形凹部に嵌合し、前端を押圧板の円形凹部に嵌合し、押圧板−支持板間にバネを遊嵌している。
半円状の板バネは、ガイド柱の内側面に後端を固定して複数取り付けられ、可動板体の押圧板を押圧する。
【００１２】
小魚解体処理装置は、下記の様にして使用する。
可動板体の挟持板間に、上方から泥鰌等の小魚を落とし込む。
底板を摺動溝に沿って摺動させて、可動板体をガイドまで移動させる。
【００１３】
ガイドに取り付けられた半円状の板バネが可動板体の押圧板を押圧するので、押圧板および丸棒が内方へ変位する。これにより、丸棒に押されて挟持板が内方へ変位するので、挟持板間の小魚が挟持される。
【００１４】
底板を摺動溝に沿って更に摺動させ可動板体を基盤の向う端まで移動させる。
この際、挟持板に挟持されている小魚が円形刃に臨むが、回動軸が軸受で軸支されているので二枚の円形刃が回動し、小魚の背骨を両側から鋏み込んで引き裂く。
よって、小魚解体処理装置は、泥鰌等の小魚の背骨を簡単に身から除去できる。
【００１５】
（請求項２について）
小魚解体処理装置は、断面半円状の円筒部の両端にフランジ部を設けた略透明のカバーのフランジ部をガイドの上面に固定している。
このため、円形刃がカバーの円筒部で被覆されるので安全であるとともに、円形刃が引き裂いた背骨などの飛散を円筒部により防止できる。
【００１６】
（請求項３について）
小魚解体処理装置は、バネ先端と前記押圧板との間の丸棒の前部、およびバネ後端と支持板との間の丸棒の後部に座金を嵌め込んでいる。
バネの圧接による押圧板および支持板板の損傷が防止できるとともに、丸棒の挙動が安定する。
【図面の簡単な説明】
【００１７】
【図１】本考案の実施例１に係る小魚解体処理装置の上面図である。
【図２】その小魚解体処理装置の断面図である。
【図３】（ａ）はその小魚解体処理装置の構成部品である円形刃の説明図であり、（ｂ）はその小魚解体処理装置の要部拡大図である。
【図４】（ａ）は小魚解体処理装置の構成部品であるカバーの説明図、（ｂ）は板バネの説明図である。
【考案を実施するための形態】
【００１８】
小魚解体処理装置は、上面に摺動溝を長手方向に有し左右にガイドを設けた基盤と、各ガイドに取り付けた軸受と、二枚の円形刃を有し軸受に軸支される回動軸と、摺動溝を摺動可能な底板、連通穴が三個開けられ底板上に固着される支持板、弾性体を板内側に固着し支持板より内方側に位置する挟持板、支持板より外方側に位置する押圧板を備えた可動板体と、後端を挟持板凹部に嵌合し前端を押圧板凹部に嵌合し押圧板−支持板間にバネを遊嵌した丸棒と、ガイド柱の内側面に複数取り付けられ押圧板を押圧する板バネとを具備してなる。
【００１９】
可動板体の挟持板間に泥鰌等の小魚を落とし込み、可動板体の底板を摺動溝に沿って摺動させ、可動板体をガイド方向へ動かす。
板バネが押圧板を押圧するので、押圧板および丸棒が内方へ変位し、丸棒に押されて挟持板が内方へ変位し、挟持板間の小魚が挟持される。
底板を基盤の向う端まで移動させると、二枚の円形刃が回動して小魚の背骨を両側から鋏み込んで引き裂くので背骨が除去できる。
【実施例１】
【００２０】
本考案の実施例１（請求項１、２、３に対応）に係る、小魚解体処理装置Ａを、図１〜図４に基づいて説明する。
図１に示す如く、小魚解体処理装置Ａは、ガイド柱１１、１１を立設した基盤１と、ガイド柱１１に取り付けられるボールベアリング２と、ボールベアリング２に軸支される回動軸３と、摺動溝１２を摺動可能な可動板体４と、バネ５１を遊嵌した丸棒５と、ガイド柱１１の内側面に取り付けられる板バネ６とを具備してなる。
【００２１】
基盤１は、盤中央の左右側端にガイド柱１１、１１を長手方向に立設し、板上面１３に摺動溝１２を長手方向に形成している。また、ガイド柱１１の上面に、断面半円状の円筒部１３の両端にフランジ部１４を設けた略透明のカバー１５のフランジ部１４を固定している。
【００２２】
ボールベアリング２は、左右のガイド柱１１、１１の略中央の対峙する位置に取り付けられている。
【００２３】
回動軸３は、軸両端がボールベアリング２、２に回動可能に軸支されるともに、スペーサー３１を挟んで二枚の円形刃３２を軸中央のボス３３に取り付けている。
円形刃３２、３２は、直径６０ｍｍ、厚さ０. ３ｍｍのタングステン鋼（ＳＫＳ−７）である。
【００２４】
可動板体４は、摺動溝１２を摺動可能な底板４１と、連通穴４２が開けられた支持板４３と、円形凹部４４を形成した挟持板４５と、円形凹部４６を形成した押圧板４７と備える。
【００２５】
底板４１は、長方形状であり、板縦幅が摺動溝１２の溝幅と略等しくなるように寸法が設定されている。
支持板４３、４３は、三カ所に連通穴４２が開けられ、挟持板４５、４５より若干外側の底板上面に長手方向へ固着される。
【００２６】
挟持板４５は、連通穴４２と対応する位置に円形凹部４４を板外側に形成し、ゴム板４９を板内側の段部４８に固着している。
この挟持板４５、４５は、支持板４３、４３より内方側に位置し、小魚挟持用間隙ｋを形成している。
【００２７】
丸棒５は、棒後端を挟持板凹部４５に嵌合し、棒前端を押圧板凹部４６に嵌合し、押圧板４７−支持板４２間にバネ５１を遊嵌している。
なお、バネ先端と押圧板４７との間の棒前部、およびバネ後端と支持板４３との間の棒後部に座金５２を嵌め込んでいる。
半円状を呈する板バネ６は、ガイド柱１１の内側面に四個取り付けられ、押圧板４７を押圧する。
【００２８】
本考案の小魚解体処理装置Ａは、下記の様にして使用する。
可動板体４の挟持板４５、４５間の小魚挟持用間隙ｋに、上方から泥鰌等の小魚７を落とし込む。
可動板体４を手で押させながら基盤１の摺動溝１２に沿って摺動させ、可動板体４を基盤中央のガイド柱１１まで移動させる。
【００２９】
ガイド柱１１に取り付けられた半円状の板バネ６が可動板体４の押圧板４７を押圧するので、押圧板４７および丸棒８が内方へ変位する。
これにより、丸棒８に押されて挟持板４５が内方へ変位するので、小魚挟持用間隙ｋの小魚７が、ゴム板４９を固着した挟持板４５に挟持される。
【００３０】
可動板体４を手で押させながら摺動溝１２に沿って更に摺動させ、可動板体４を基盤１の向う端まで移動させる。
この際、小魚挟持用間隙ｋの小魚７が円形刃３２に臨むが、回動軸３がボールベアリング２とで軸支されているので二枚の円形刃３２、３２が回動し、小魚７の背骨７１を両側から鋏み込んで引き裂く。
【００３１】
小魚解体処理装置Ａは、下記の利点を有する。
小魚挟持用間隙ｋに泥鰌等の小魚７を落とし込み、可動板体４を手で押させながら基盤１の摺動溝１２に沿ってガイド柱１１の向う側まで可動板体４を摺動させれば、泥鰌等の小魚７の背骨を簡単に身から除去できる。
【００３２】
小魚解体処理装置Ａは、断面半円状の円筒部１３の両端にフランジ部１４を設けた略透明のカバー１５のフランジ部１４をガイド柱１１の上面に固定している。このため、円形刃３２がカバー１５の円筒部１３で被覆されるので安全であるとともに、円形刃３２が引き裂いた背骨などの飛散を円筒部１３により防止できる。
【００３３】
バネ先端と押圧板４７との間の棒前部、およびバネ後端と支持板４３との間の棒後部に座金５２を嵌め込んでいる。このため、バネ５１の圧接による押圧板および支持板板の損傷が防止できるとともに、丸棒８の挙動が安定する。
【符号の説明】
【００３４】
Ａ  小魚解体処理装置
１  基盤
２  ボールベアリング（軸受）
３  回動軸
４  可動板体
５  丸棒
６  板バネ
１１  ガイド柱
１２  摺動溝
１３  円筒部
１４  フランジ部
１５  カバー
３１  スペーサー
３２  円形刃
４２  連通穴
４３  支持板
４４、４６  円形凹部
４７  押圧板
５１  バネ
５２  座金
【図１】
0003199391.tif 000003
【図２】
0003199391.tif 000004
【図３】
0003199391.tif 000005
【図４】
0003199391.tif 000006